(57)【要約】【課題】  財布本体と硬貨入れとを着脱可能として、必要に応じて一体で又は別体にて使用できる財布を提供する。【解決手段】  二つ折り形式の財布本体と着脱自在な硬貨入れを有する財布であって、財布本体は札入れ部の他に多数のカード入れ部を有しており、その内の対向して開口する一対のカード入れ部は、硬貨入れのためのホルダーとして形成され、硬貨入れは係止片部を有しており、該係止片部を上記一対の対向して開口するカード入れ部の何れかに挿抜可能であり、該係止片部はそれ自体で小形カード入れ部を形成する。【選択図】      図１
0003108064.tif 000002
【実用新案登録請求の範囲】
【請求項１】
二つ折り形式の財布本体と着脱自在な硬貨入れを有する財布であって、財布本体は札入れ部の他に多数のカード入れ部を有しており、その内の対向して開口する一対のカード入れ部は、硬貨入れのためのホルダーとして形成されていることを特徴とする硬貨入れが着脱可能な財布。
【請求項２】
請求項１に記載の財布において、硬貨入れは係止片部を有しており、該係止片部を上記一対の対向して開口するカード入れ部の何れかに挿抜可能であることを特徴とする硬貨入れが着脱可能な財布。
【請求項３】
請求項２に記載の財布において、上記係止片部はそれ自体で小形カード入れ部を形成することを特徴とする硬貨入れが着脱可能な財布。
【請求項４】
請求項２又は３に記載の財布において、上記硬貨入れは一枚の革材により形成された小銭入れ部を有することを特徴とする硬貨入れが着脱可能な財布。
【考案の詳細な説明】
【技術分野】
【０００１】
本願考案は小銭入れを財布本体に対して着脱可能とし、特に、財布本体のカード入れ部を利用して小銭入れを着脱させるごとき新規な構造を特徴とするものである。
【背景技術】
【０００２】
最近の特に男性用財布は、紙幣を入れる部分の他に多種多様なカードを入れる部分が必要となっており、その他にも、小銭（以下、硬貨と呼ぶ。）入れが必要となる場合や、釣り銭を入れる必要があり、通常は紙幣及びカードを入れるための財布本体と硬貨入れを別々に利用している。
【０００３】
しかしながら、このように通常の財布と硬貨入れを別々にして利用し、また、洋服のポケット等に入れて持ち歩くのは、紙幣と硬貨を同時に利用する場合等で不便を感じる。一方、紙幣と硬貨を両方共に収納できる形式の硬貨入れ一体型の財布にあっては、硬貨の量が多くなると財布全体が膨らんで極めて不便である。
【０００４】
すなわち、例えば一般的な二つ折りの財布にあっては、通常は折り畳む内側部分に硬貨入れ部が一体的に並設されており、硬貨の量が増えると折り曲げた紙幣入れ部分が（以下、財布本体と呼ぶ。）が膨張し、更に、多数のカードを収納した場合には財布全体が非常に大きく膨らんでしまう欠点があった。
【特許文献１】特開２００１−９２７８９３号公報
【考案の開示】
【考案が解決しようとする課題】
【０００５】
本願考案は上述のような欠点を解決し、財布本体と硬貨入れとを着脱可能として、必要に応じて一体で又は別体にて使用できる財布を提供するものである。
また、硬貨入れを財布本体に着脱する手段を改良し、着脱操作が簡単で、且つ、着脱部分の財布本体も有効に利用できる形式の新規な財布の構造を提供するものである。
【課題を解決するための手段】
【０００６】
本願考案は、二つ折り形式の財布本体と着脱自在な硬貨入れを有する財布であって、財布本体は札入れ部の他に多数のカード入れ部を有しており、その内の対向して開口する一対のカード入れ部は、硬貨入れのためのホルダーとして形成されていることを特徴とする硬貨入れが着脱可能な財布である。
また、硬貨入れは係止片部を有しており、該係止片部を上記一対の対向して開口するカード入れ部の何れかに挿抜可能であり、該係止片部はそれ自体で小形カード入れ部を形成する。
更に、上記硬貨入れは一枚の革材により形成された小銭入れ部を有することを特徴とする。
【考案の効果】
【０００７】
本願考案に係る着脱自在な硬貨入れを有する財布によれば、小銭が沢山ある場合には硬貨入れを取り外して利用できると共に、硬貨入れ自体も小形カード入れ部を有するので、回数乗車券等が収納でき、小銭等のみを必要とする場合に極めて便利である。
また、本願考案の財布では硬貨入れの着脱が非常に簡単であると共に、これを着脱する部分が別途カード入れとして利用できて無駄がない。
更に、多数のカード入れ部を構成できて便利であると共に、硬貨入れ部の構造が極めて簡単で製作が容易である等の著効を有する。
【考案を実施するための最良の形態】
【０００８】
本願考案の実施形態を図１〜図３により説明する。
図１は、本願考案に係る硬貨入れ付き財布１０において、財布本体１１に硬貨入れ２０を装着した状態を示している。財布本体１１は通常の形式の札入れ部１２を有し、その他多数のカード入れ部１３〜１３及び１４〜１４，１５〜１５を有している。
また、硬貨入れ２０は上記多数のカード入れの内のカード入れ１４部分に、後述するその硬貨入れ２０の係止片部２１を挿入係止することによって一体的に装着されるものである。
【０００９】
図２は、本願考案の硬貨入れ付き財布１０における、財布本体１１の詳細を示している。この形式の財布本体１１は二つ折り形の財布であって、従来周知の形式の札入れ部１２を有し、その札入れ部分の形状及び製作方法等も一般的のものと同一である。
【００１０】
しかしながら、本願考案に係る財布本体１１にあっては、通常の札入れ部１２の他に多数の一般的なカード入れ部１３〜１３と共に、特別な大きさ及び用途のカードのためのカード入れ部１４〜１４及び１５〜１５を備えている。
【００１１】
財布本体１１を更に詳しく説明すると、札入れ部１２は一般的な札入れと同様に、表裏一対の例えば革材（以下、特に材質を特定するものではない。）の略三方を縫製することによって形成される。
そして、該裏側の革材の中央部である折曲げ部１６の長手方向両側には、本願考案の特徴的構成であるカード入れ部１４，１４が設けられている。
【００１２】
このカード入れ部１４，１４は、上記札入れ部１２を形成する裏側革材に更に当皮材１７，１７を重ね、これを上記札入れ部１２の裏側革材と縫い合わせることによって形成される。従って、該カード入れ１４，１４はいずれも財布本体１２の折曲げ部１６方向に開口することとなる。
【００１３】
上記のカード入れ１４，１４を形成するための当皮材１７，１７の表面には、更に財布本体１１の札入れ部１２側に開口を有するやや大型のカード入れ部１５，１５を形成するために当革材１８，１８が重ねられ、上記当皮材１７，１７のカード入れ１４側端部及び財布本体１１の端部と札入れ部底側とに縫合される。
【００１４】
最後に、上記当革材１８，１８の上面に任意枚数の当皮材１９，１９を、カード入れ部１３〜１３の必要数に対応する枚数だけ重ね、これらの側部及び底部を縫合することにより多数のカード入れ部１３〜１３が形成される。この場合、各当皮材１９〜１９は順に、入口側端部をずらして、カード入れの深さを調整するものである。
【００１５】
このようにして、財布本体１１には札入れ部１２が通常通りに形成されることは当然として、札入れ側及び折曲げ部側に夫々開口する各２個の、やや大型のカード入れ部（カードのみならずメモ用紙等を入れても便利）を形成することができると共に、該カード入れ１４，１４の何れか一方を、後述するように硬貨入れ２０のためのホルダーとして利用可能とするものである。
【００１６】
図３は、上記図１に示す硬貨入れ２０の展開状態を示している。
硬貨入れ２０は、大別して小銭入れ部２１と係止片２６とによって構成されている。
図に示す実施例においては、該小銭入れ部２１は一枚の革材を折り曲げ、必要な個所をホックの「カシメ」部によって結合されることにより製作される。すなわち、小銭入れ部２１のための一枚の革材２２は、各舌片２２ａ〜２２ｆを有するごとく裁断され、各々の舌片を図に示すように、舌片２２ａ〜２２ｃの各先端部をホックの凹型Ｈ１で、同様に舌片２２ｄ〜２２ｆの各先端部をホックの凸型Ｈ２で、夫々「カシメ」で固定している。
【００１７】
このようにすると、比較的巾広に形成した舌片２２ａ〜２２ｃの折り曲げ部分に硬貨を入れる収納部２３が形成される。一方、比較的巾狹に形成される舌片２２ｄ〜２２ｆの結合によって、やや片平な蓋部２４が形成されると共に、これらを形成するホックＨ１，Ｈ２により小銭入れ部の開閉が可能となるものである。
【００１８】
係止片２６は上記小銭入れ部２１と別体に製作される。すなわち、一枚の細長い革材２７を２つ折とし、その上下の折片２７ａ及び２７ｂの３辺を縫製し、他の一辺に開口２８を形成することによって、該係止辺２６にも収納部を設けたものである。そして、該収納部には例えば地下鉄の回数券が収納可能であると共に、指穴２９を設けることによって該回数券等の取り出しを容易にしている。
【００１９】
上記のような構成の本願考案に係る財布は、図１に示すように硬貨入れ２０を財布本体１１におけるカード入れ部１４，１４の何れかに対して着脱自在であり、しかも該硬貨入れ２０を係止するためのカード入れ部１４も、硬貨入れを別々に利用する場合に他のカード入れとして利用できる。
【００２０】
また、硬貨入れ２０は、その係止片部２６自体も回数券入れ等として利用でき、硬貨入れを財布本体と別々に利用する場合にも極めて便利であると共に、小銭入れ部２１は一枚の革材片を用いて、蓋部２４を開閉するホック自体によって固定できるので、製作工程が簡単である。
【図面の簡単な説明】
【００２１】
【図１】本願考案に係る硬貨入れ付き財布の斜視図である。
【図２】財布本体の斜視図である。
【図３】硬貨入れの斜視図である。
【符号の説明】
【００２２】
１０  硬貨入れ付き財布
１１  財布本体
１２  札入れ部
１３，１４，１５  カード入れ部
１６  財布本体の折曲げ部
２０  硬貨入れ
２１  小銭入れ部
２２ａ〜２２ｆ  舌片
２３  硬貨収納部
２４  蓋部
２６  係止片
２９  指穴
【図１】
0003108064.tif 000003
【図２】
0003108064.tif 000004
【図３】
0003108064.tif 000005